(57)【要約】【課題】繊維機械用のボビンコンベヤベルトのためのボビンキャリア１０及び／又はボビンキャリア保持装置１４を改良して、時間的に延長された高い運転確実性が保証されるようにする。【解決手段】ボビンキャリア１０及び／又はボビンキャリア保持装置１４が、搬送過程中のボビンキャリア１０の自由回転を妨げるように構成されている。【選択図】図１
2005113362.tif 000002
【特許請求の範囲】
【請求項１】
繊維機械用のボビンコンベヤベルトのためのボビンキャリア（１０）及び／又はボビンキャリア保持装置（１４）において、
ボビンキャリア（１０）及び／又はボビンキャリア保持装置（１４）が、搬送過程中のボビンキャリア（１０）の自由回転を妨げるように構成されていることを特徴とする、ボビンキャリア及び／又はボビンキャリア保持装置。
【請求項２】
ボビンキャリア（１０）とボビンキャリア保持装置とが形状接続又は摩擦接続するように構成されている、請求項１記載のボビンキャリア及び／又はボビンキャリア保持装置。
【請求項３】
ボビンキャリア（１０）が、ボビンを受容するための少なくとも１つのピン（１１）を備えており、このボビンを受容するためのピン（１１）に、及び／又はこのピンのための保持装置（１２）に少なくとも１つのストッパ（１３）が設けられている、請求項１又は２記載のボビンキャリア（１０）及び／又はボビンキャリア保持装置。
【請求項４】
ボビンキャリア（１０）及び／又はボビンキャリア保持装置（１４）が、互いに形状接続を形成するように、少なくとも１箇所で面取りされているか、若しくは平らにされている、請求項１から３までのいずれか１項記載のボビンキャリア（１０）及び／又はボビンキャリア保持装置。
【請求項５】
ボビンキャリア（１０）が多角形の形状を有している、請求項１から４までのいずれか１項記載のボビンキャリア（１０）及び／又はボビンキャリア保持装置。
【発明の詳細な説明】
【技術分野】
【０００１】
本発明は、請求項１の上位概念部に記載した、繊維機械有利にはリング精紡機用のボビンコンベヤベルトのためのボビンキャリア及び／又はボビンキャリア保持装置に関する。
【背景技術】
【０００２】
繊維機械特に紡績機、巻取り機又は撚糸機は、今日ではしばしば本来の装置の他に、材料キャリアを搬送するための装置を有している。リング精紡機のためには例えば、空のボビンを巻取り部に送り、満管のボビンを巻取り部から取り除くようになっている、ボビン用のエンドレスコンベヤベルトが知られている。このコンベヤベルトは、ドフィング（玉揚げ）過程を補助し、原則として、満管のボビンがドフィング過程後に後続の巻取り機に送られるか、又はコップ容器内に送られ、それと同時に空のボビンが提供されるように、配置されている。機械が運転されている間、機械を巡って満管のボビン及び空のボビンを搬送するエンドレスコンベヤベルト上に、原則として、ボビンを受容するためのピンを備えた皿状のボビンキャリアが配置されている。このボビンキャリアは、搬送中にそれぞれ、保持装置によって保持され、この保持装置は引き渡し箇所で圧力解除される。それについての図面は、ドイツ連邦共和国特許公開第３９１０４４１号明細書に開示されており、この公知明細書は、本発明の不可欠な要素の最も近い従来技術として見なされる。
【０００３】
ボビンキャリアを搬送するための前記装置は、何千回も実証されている。特に高賃金の国における多くの紡績工場は、もはやこのような実証された装置は使用しない訳にはいかない。しかしながら日常的な使用において、見逃すことのできない次のような一連の問題点がある。つまり、円板状のボビンキャリアは、コンベヤベルトにおける保持状態から解除するために、所定のポイントにおいて、つまり特に紡績又は巻取り箇所、ボビン準備装置又はボビン貯蔵装置への引き渡し時、又はこれらの箇所からの引き取り時においてコントロールされて回転するだけではなく、搬送全体に亘ってコントロールされることなしにその固有の軸線を中心にして回転もする。その結果、ボビンキャリアによって支持されたコップも同様に移動せしめられ、それによってしばしば糸が繰り出されて、ボビンを搬送する部分又はその他の機械部分に引っ掛かることになる。円板状のボビンキャリアを包囲する保持装置は、搬送中に円板を保持し、各引き渡しステーションで圧力解除されて、ボビンを支持する円板を解放し、この引き渡し時に、付加的な材料（ボビンキャリア上又はボビンキャリアを巡って位置する）によって、付加的な回転及びひいては意図しない付加的な損耗が生ぜしめられる。従ってボビンキャリアの保持装置は、多くの搬送作業を行った後で、搬送時にボビンを搬送する円板を確実に保持する状態にはなく、意図しない箇所でボビンキャリアが滑り出すことがある。
【０００４】
従って、ボビンを搬送する円板を引き渡すために必要な、固有の軸線を中心にした回転可能性によって、自然と繰り出される満管のボビンが一方では機械の確実性を損ない、他方では糸の品質を損なう、という不都合が発生する。ボビンを支持する円板を少なくとも部分的に包囲する保持装置において、過剰な摩耗が生じ、この摩耗が、機械及びプロセスの運転確実性を脅かすことになる。
【特許文献１】ドイツ連邦共和国特許公開第３９１０４４１号明細書
【発明の開示】
【発明が解決しようとする課題】
【０００５】
本発明の課題は、ボビン用のエンドレスベルトコンベヤを備えた繊維機械のためのボビンキャリア及び／又は、このボビンキャリアのための保持装置を改良して、時間的に延長された高い運転確実性が保証されるようにすることである。
【課題を解決するための手段】
【０００６】
この課題を解決した本発明によれば、ボビンキャリア及び／又はボビンキャリア保持装置が、搬送過程中のボビンキャリアの自由回転を妨げるように構成されている。
【０００７】
本発明の有利な実施態様は従属請求項に記載されている。
【発明を実施するための最良の形態】
【０００８】
以下に本発明を図示の実施例を用いて具体的に説明する。本発明の図示の実施例に限定されるものではない。
【０００９】
図１は、円板状のボビンキャリア１０の側面図を示している。ボビンキャリア１０は、ピン１１のためのホルダ１２内でボビンを受容するためのピン１１を有している。勿論、ボビンキャリア１０を、ピン１１が段付けされたピンホルダ１２なしで円板状のボビンキャリア１０から直接突き出すように構成してもよい。図示の実施例では、ボビンキャリア１０はストッパ１３を備えている。
【００１０】
図２には、ボビンキャリア１０のための保持装置１４及びボビンを受容するためのピン１１を備えたボビンキャリア１０の平面図が示されている。ボビンキャリア保持装置１４の材料及び形状は、このボビンキャリア保持装置１４がボビンキャリア１０との形状接続（形状による束縛；formschluessige Verbindung）若しくは摩擦接続（摩擦による束縛；kraftschluessige Verbindung）を可能にするように選定されており、これに対してピン１１の下部つまりピンホルダ１２はストッパ１３を備えている。１つのストッパ１３の代わりに、ボビンキャリア１０の保持装置１４に対応する、適した形状及び大きさの２つ又はそれ以上のストッパをボビンキャリア１０に設けてもよい。
【００１１】
図３には、ピン１１又は多角形のピンホルダ１２及び、適当な形状のボビンキャリア保持装置１４の平面図が示されている。図示していないが、その他の適した形状も考えられる。
【００１２】
図示の実施例では、ピン１１若しくはピンホルダ１２及び／又はボビンキャリア保持装置１４は、ボビンキャリア１０が固有の軸線を中心として自由回転できないように、構成されている。ピン１１若しくはピンホルダ１２及び／又はボビンキャリア保持装置１４の形状は、場合によっては所定の位置までの限定的な回転を許容するが、自由な回転ひいては装置を制御不能にするような１８０°までの回転は許容しないように構成されている。従って、回転によってコップから糸が繰り出されてどこかに絡まって、整然とした搬送プロセスが妨げられ、しかも材料の消耗が加速されるような危険性はなくなる。
【図面の簡単な説明】
【００１３】
【図１】ボビンキャリアの側面図である。
【図２】ボビンキャリア１０のための保持装置１４及びボビンを受容するためのピン１１を備えたボビンキャリア１０の平面図である。
【図３】ピン１１又は多角形のピンホルダ１２及び、適当な形状のボビンキャリア保持装置１４の平面図である。
【符号の説明】
【００１４】
１０  ボビンキャリア、  １１  ピン、  １２  ピンホルダ、  １３  ストッパ、  １４  ボビンキャリア保持装置
【図１】
2005113362.tif 000003
【図２】
2005113362.tif 000004
【図３】
2005113362.tif 000005